(57)【特許請求の範囲】
【請求項１】
両端部に複数の開口部を有する中空の押出成形セメント板によって形成された外装ルーバーを、建物に取り付けるための外装ルーバー取付構造において、
前記建物に結合すると共に、前記開口部内に嵌合されてその内面を押し拡げる方向に付勢される第１係合部を有する外装ルーバー孔用取付具と、
前記建物に対して摺動可能に当接し又は結合すると共に、互いに隣り合う前記開口部を仕切る桟部を挟み込む第２係合部を有し、更に前記桟部の端面と当接する外装ルーバー桟用取付具とを備え、
前記外装ルーバーの両方の各端部が、前記建物と間隔を隔てて配置されていることを特徴とする外装ルーバー取付構造。
【請求項２】
前記外装ルーバー孔用取付具は、前記建物に結合する第１基台部を備え、前記第１係合部は、前記第１基台部に設けられた略Ｕ字形状の部材であり、
前記外装ルーバー桟用取付具は、前記建物に対して摺動可能に当接され又は結合される第２基台部を備え、前記第２係合部は、前記第２基台部に設けられ内面が前記桟部の端面と当接される略Ｕ字形状の部材であり、
前記外装ルーバーの両方の各端部と、前記建物との間に形成された隙間は、シール材によって封止されていることを特徴とする請求項１記載の外装ルーバー取付構造。
【請求項３】
前記外装ルーバーは、鉛直方向と略平行して取り付けられ、
前記外装ルーバー孔用取付具は、前記外装ルーバーの上下の各端部に複数ずつ取り付けられ、
前記外装ルーバー桟用取付具は、前記外装ルーバーの下端部であって、２つの前記外装ルーバー孔用取付具の間の位置に取り付けられていることを特徴とする請求項１又は２記載の外装ルーバー取付構造。
【請求項４】
前記第１基台部は、前記第１係合部が設けられているその先端部を、前記開口部内に配置することができる長さに形成されていることを特徴とする請求項２又は３記載の外装ルーバー取付構造。
【請求項５】
両端部に複数の開口部を有する中空の押出成形セメント板によって形成された外装ルーバーを、鉛直方向と略平行させて建物に取り付けるための外装ルーバー取付方法において、
前記外装ルーバーの上下の各端部に形成されているそれぞれの開口部に外装ルーバー孔用取付具を嵌合させると共に、前記外装ルーバーの下端部に形成されている互いに隣り合う前記開口部を仕切る桟部を外装ルーバー桟用取付具で挟み込み、更に前記外装ルーバー桟用取付具と前記桟部の端面とを当接させる段階と、
前記それぞれの外装ルーバー孔用取付具を前記建物に結合させる段階と、
前記外装ルーバーの上下の各端部と、前記建物との間に形成されている隙間をシール材によって封止する段階とを備えることを特徴とする外装ルーバー取付方法。
【発明の詳細な説明】
【技術分野】
【０００１】
本発明は、中空の押出成形セメント板によって形成された外装ルーバーを、建物に取り付けるための外装ルーバー取付構造及び外装ルーバー取付方法に関する。
【背景技術】
【０００２】
建物の外装として取り付けられる外装ルーバーは、建物のデザインの一部として重要な要素となっている。外装ルーバーとして、例えば金属製やセメント製のものがある。なお、中空形状の押出成形セメント板製のものは、軽量であり強度が大きいので、外装ルーバーの支持スパンを大きくすることができる。よって、この中空形状の押出成形セメント板製によると、デザインの選択の幅を広く採ることができ、幅広いデザインの開発を実現可能にすることができる。
【０００３】
図１１〜図１３は、中空形状の押出成形セメント板によって形成された従来の外装ルーバーの取付構造１を示している。この外装ルーバー取付構造１は、図１１に示すように、縦長の矩形板状の多数の外装ルーバー２を、鉛直方向と略平行に配置して建物の上階床版３の下面３ａと、下階床版４の上面４ａとの間に取り付けるものであり、例えば４つの外装ルーバー取付具５を備えている。
【０００４】
この外装ルーバー取付具５は、図１２のＥ−Ｅ断面図に示すように、ルーバー取付部材６とボルト７とを備えている。ルーバー取付部材６は、その基端部６ａがボルト７と、ナット８とによって外装ルーバー２の下端部に締付け固定されており、この状態で、ルーバー取付部材６の挟持部６ｂが、外装ルーバー２との間に下側下地材（アングル）９を挟み込んでいる。このようにして、外装ルーバー２の下端部を下側下地材９に取り付けることができる。この下側下地材９は、建物の下階床版（梁）４にアンカーで結合されている。なお、図１３は、図１１に示す外装ルーバー取付構造１をＦ−Ｆ方向から見た断面図である。
【０００５】
また、図１１及び図１２に示すように、外装ルーバー２の上端部も、上記と同様にして外装ルーバー取付具５によって上側下地材１０に取り付けられている。この上側下地材１０は、建物の上階床版３にアンカーで結合されている。
【０００６】
更に、図には示さないが、従来の他のルーバー取付構造として、大形陶板等の耐水性材料で形成されたルーバーを、形鋼及び接続部材を介して建物構造体に取り付けたものがある（例えば、特許文献１参照。）。このルーバーは、貫通孔を有し、この貫通孔に形鋼が挿通しており、この形鋼の両方の各端部が、接続部材を介して建物構造体に取り付けられている。
【特許文献１】特開２００２−１８０６２７号公報
【発明の開示】
【発明が解決しようとする課題】
【０００７】
しかし、図１１〜図１３に示す従来の外装ルーバー取付構造１では、ルーバー取付部材６、ボルト７及びナット８から成る外装ルーバー取付具５が外装ルーバー２の外側に露出する構成となっているので、この外装ルーバー取付具５によって外装ルーバー２の見栄えが損なわれる。
【０００８】
そして、外装ルーバー取付具５が外装ルーバー２の外側に露出しているので、この外装ルーバー取付具５に対して十分な防錆処理を施す必要がある。
【０００９】
また、外装ルーバー２には、ボルト挿通孔１１を形成する必要があるし、外装ルーバー２及びルーバー取付部材６のそれぞれのボルト挿通孔１１、１２には、防水処理を施す必要があるので、その分の手間とコストが掛かる。
【００１０】
更に、図示しない上記従来の他のルーバー取付構造においても上記と同様の問題がある。
【００１１】
本発明は、上記のような課題を解決するためになされたものであり、外装ルーバーの取付具が外装ルーバーの外側に露出しないようにして見栄えよく外装ルーバーを建物に取り付けることができ、そして、外装ルーバーにボルト挿通孔を形成する必要がなく、従って、ボルト挿通孔に防水処理を施す必要がない外装ルーバー取付構造及び外装ルーバー取付方法を提供することを目的としている。
【課題を解決するための手段】
【００１２】
この発明に係る外装ルーバー取付構造は、両端部に複数の開口部を有する中空の押出成形セメント板によって形成された外装ルーバーを、建物に取り付けるための外装ルーバー取付構造において、前記建物に結合すると共に、前記開口部内に嵌合されてその内面を押し拡げる方向に付勢される第１係合部を有する外装ルーバー孔用取付具と、前記建物に対して摺動可能に当接し又は結合すると共に、互いに隣り合う前記開口部を仕切る桟部を挟み込む第２係合部を有し、更に前記桟部の端面と当接する外装ルーバー桟用取付具とを備え、前記外装ルーバーの両方の各端部が、前記建物と間隔を隔てて配置されていることを特徴とするものである。
【００１３】
この発明に係る外装ルーバー取付構造によると、外装ルーバー孔用取付具は、建物に結合されて固定されている。そして、第１係合部が外装ルーバーの開口部内に嵌合した状態で、第１係合部が開口部の内面を押し拡げる方向に付勢されていることによって、第１係合部が開口部に係合している。これによって、外装ルーバー孔用取付具は、外装ルーバーに対して、開口部の奥行き方向に直交する方向の移動を規制してこの外装ルーバーを保持することができる。
【００１４】
そして、外装ルーバー桟用取付具は、第２係合部が互いに隣り合う開口部を仕切る桟部を挟み込み、その桟部の端面と当接していることによって、第２係合部が桟部に係合している。これによって、外装ルーバー桟用取付具は、外装ルーバーに対して、桟部（開口部）の奥行き方向に直交する方向の移動を規制してこの外装ルーバーを保持すると共に、桟部（開口部）の端部が当該取付具に向かう方向の移動を阻止して保持することができる。
【００１５】
また、外装ルーバー桟用取付具を建物に対して摺動可能に当接させることによって、建物に層間変位が生じたとき、外装ルーバー桟用取付具が外装ルーバーに伴って移動することができる。そして、外装ルーバー桟用取付具を建物に結合させることによって、外装ルーバーを位置決め固定して建物に取り付けることができる。更に、外装ルーバーの両方の各端部を、前記建物と間隔を隔てて配置することによって、建物に層間変位が生じた際に、この層間変位を許容することができる。
【００１６】
そして、この発明に係る外装ルーバー取付構造において、前記外装ルーバー孔用取付具は、前記建物に結合する第１基台部を備え、前記第１係合部は、前記第１基台部に設けられた略Ｕ字形状の部材であり、前記外装ルーバー桟用取付具は、前記建物に対して摺動可能に当接され又は結合される第２基台部を備え、前記第２係合部は、前記第２基台部に設けられ内面が前記桟部の端面と当接される略Ｕ字形状の部材であり、前記外装ルーバーの両方の各端部と、前記建物との間に形成された隙間を、シール材によって封止するものとすることができる。
【００１７】
このようにすると、第１基台部を建物に結合することによって、外装ルーバー孔用取付具を建物に固定して取り付けることができる。そして、第２基台部を建物に結合したり、又は当接させることによって、外装ルーバー桟用取付具を建物に取り付けることができる。また、第１及び第２係合部を略Ｕ字形状の部材とすることによって、簡単にばね構造とすることができ、外装ルーバー取付構造を簡単な構成にすることができる。
【００１８】
また、外装ルーバー桟用取付具が桟部の端面と当接しているので、外装ルーバーの両方の各端部と、建物との間に、建物の層間変位を許容するための隙間が形成されるように、外装ルーバーを建物に取り付けることができる。
【００１９】
更に、外装ルーバーの両方の各端部と、建物との間の当該隙間をシール材によって封止することによって、外装ルーバー孔用取付具及び外装ルーバー桟用取付具が外装ルーバーの外側から全く見えないようにすることができる。
【００２０】
また、この発明に係る外装ルーバー取付構造において、前記外装ルーバーは、鉛直方向と略平行して取り付けられ、前記外装ルーバー孔用取付具は、前記外装ルーバーの上下の各端部に複数ずつ取り付けられ、前記外装ルーバー桟用取付具は、前記外装ルーバーの下端部であって、２つの前記外装ルーバー孔用取付具の間の位置に取り付けられるものとすることができる。
【００２１】
このようにすると、外装ルーバーを、鉛直方向と略平行させて建物に取り付けることができる。そして、外装ルーバー孔用取付具を、外装ルーバーの上下の各端部に複数ずつ取り付けることによって、外装ルーバーの水平方向の移動を規制して安定して保持することができる。また、外装ルーバー桟用取付具を、外装ルーバーの下端部であって、２つの外装ルーバー孔用取付具の間の位置に取り付けることによって、外装ルーバーの重量を安定して支持することができるし、水平方向の移動を規制して保持することができる。
【００２２】
更に、この発明に係る外装ルーバー取付構造において、前記第１基台部は、前記第１係合部が設けられているその先端部を、前記開口部内に配置することができる長さに形成されるものとすることができる。
【００２３】
このようにすると、第１係合部を外装ルーバー開口部の比較的奥側部の内面に当接させて係合させることができる。この外装ルーバー開口部の奥側部は、入口側部と比較して破壊強度が大きいので、外装ルーバー孔用取付具による外装ルーバーの取付け強度を向上させることができる。
【００２４】
この発明に係る外装ルーバー取付方法は、両端部に複数の開口部を有する中空の押出成形セメント板によって形成された外装ルーバーを、鉛直方向と略平行させて建物に取り付けるための外装ルーバー取付方法において、前記外装ルーバーの上下の各端部に形成されているそれぞれの開口部に外装ルーバー孔用取付具を嵌合させると共に、前記外装ルーバーの下端部に形成されている互いに隣り合う前記開口部を仕切る桟部を外装ルーバー桟用取付具で挟み込み、更に前記外装ルーバー桟用取付具と前記桟部の端面とを当接させる段階と、前記それぞれの外装ルーバー孔用取付具を前記建物に結合させる段階と、前記外装ルーバーの上下の各端部と、前記建物との間に形成されている隙間をシール材によって封止する段階とを備えることを特徴とするものである。
【００２５】
この発明に係る外装ルーバー取付方法によると、まず、外装ルーバーの上下の各端部に形成されているそれぞれの開口部に、外装ルーバー孔用取付具を嵌合させると共に、外装ルーバーの下端部に形成されている互いに隣り合う開口部を仕切る桟部を、外装ルーバー桟用取付具で挟み込み、更に外装ルーバー桟用取付具と桟部の端面とを当接させる。これによって、外装ルーバーに外装ルーバー孔用取付具及び外装ルーバー桟用取付具を装着することができる。そして、これらの取付具が装着された外装ルーバーを建物の取付け位置に配置して、それぞれの外装ルーバー孔用取付具を建物に結合させる。しかる後に、外装ルーバーの上下の各端部と、建物との間に形成されている隙間をシール材によって封止する。このようにして、外装ルーバーを建物に取り付けることができる。
【発明の効果】
【００３２】
この発明に係る外装ルーバー取付構造及び外装ルーバー取付方法によると、外装ルーバー孔用取付具の第１係合部が外装ルーバーの開口部内に嵌合すると共に、外装ルーバー桟用取付具の第２係合部が外装ルーバーの桟部を挟持することによって、外装ルーバーを建物に取り付ける構成としたので、外装ルーバーに取付孔を形成する必要がなく、従って、取付孔に防水処理を施すための作業自体をなくすことができる。これによって、外装ルーバー取付け作業の手間及びコストの低減を図ることができる。
【００３３】
そして、これら第１及び第２係合部は、外装ルーバーの開口部内に収容されているので、外装ルーバー孔用取付具及び外装ルーバー桟用取付具が外側から見え難くすることができ、これら取付具によって外装ルーバーの見栄えが損なわれることを防止できる。
【００３４】
また、外装ルーバー桟用取付具が桟部の端面と当接する構成であるので、外装ルーバーの両方の各端部が、建物と間隔（例えば隙間）を隔てて配置されるように、外装ルーバーを建物に取り付けることができ、このようにすると、例えば地震時において建物に層間変位が発生しても、この層間変位を当該隙間によって許容することができる。従って、外装ルーバー及び外装ルーバー取付構造が層間変位によって損傷を受け難くすることができる。
【００３５】
更に、外装ルーバーの両方の各端部と、建物との間の当該隙間をシール材によって封止する構成とすることによって、外装ルーバー孔用取付具及び外装ルーバー桟用取付具が外装ルーバーの外側から全く見えないように封止することができ、これら取付具によって外装ルーバーの見栄えが損なわれることを確実に防止できる。
【００３６】
そして、シール材によって、外装ルーバー孔用取付具及び外装ルーバー桟用取付具が、外装ルーバーの外側に露出しないようにすることができるので、これら外装ルーバーのそれぞれの取付具に対して十分な防錆処理を施す必要がないし、防錆処理を不要にすることもできる。
【００３７】
また、外装ルーバー桟用取付具を建物に対して摺動可能に当接させる構成とすることによって、建物に層間変位が生じたとき、外装ルーバー桟用取付具が外装ルーバーに伴って移動することができ、外装ルーバーの損傷を防止できる。そして、外装ルーバー桟用取付具を建物に結合させることによって、外装ルーバーを位置決め固定して建物に取り付けることができる。勿論、このようにした場合も、外装ルーバー桟用取付具の第２係合部は、外装ルーバーの桟部を挟持して係合する構成であるので、建物の層間変位を許容することができる。
【発明を実施するための最良の形態】
【００３８】
以下、図１〜図６を参照して、本発明に係る外装ルーバー取付構造１３の第１実施形態を説明する。そして、この実施形態で、外装ルーバー取付方法、外装ルーバー孔用取付具１４及び外装ルーバー桟用取付具１５を説明する。
【００３９】
外装ルーバー取付構造１３は、図１に示すように、縦長の多数の外装ルーバー１６を、鉛直方向と略平行に配置して、建物１７の上階床版１８の下面１８ａと、下階床版１８の上面１８ｂとの間に取り付けることができるものであり、図２に示すように、外装ルーバー孔用取付具１４及び外装ルーバー桟用取付具１５を備えている。この図２は、外装ルーバー１６の下端部１６ｂが下階床版１８の上面１８ｂに取り付けられており、外装ルーバー１６の上端部１６ａが上階床版１８の下面１８ａに取り付けられている状態を示す拡大断面図である。なお、床版１８は、建物の床部及び天井の構造体を言う。
【００４０】
図３に示す部分拡大斜視図は、外装ルーバー１６の下端部１６ｂが２つの外装ルーバー孔用取付具１４、及び１つの外装ルーバー桟用取付具１５を介して下側下地材１９に取り付けられている状態を示しており、この下側下地材１９は、床版１８の上面１８ｂに設けられている。そして、図４（ａ）に示すように、外装ルーバー１６の上端部１６ａは、２つの外装ルーバー孔用取付具１４を介して上階床版１８の下面１８ａに設けられている上側下地材２０に取り付けられている。
【００４１】
これら外装ルーバー孔用取付具１４、外装ルーバー桟用取付具１５、上下の各下地材２０、１９は、例えば鉄又はステンレス鋼製である。また、各下地材２０、１９は、例えばアンカー３７によって床版１８に取り付けられている。
【００４２】
外装ルーバー１６は、図３に示すように、例えば上下の各端部１６ａ、１６ｂに複数の開口部１６ｃを有する中空の押出成形セメント板によって形成されたものであり、互いに平行する矩形の板状部１６ｄを有している。そして、この一対の板状部１６ｄは、複数の桟部１６ｅによって連結され、各桟部１６ｅは、互いに隣り合う開口部１６ｃを仕切っている。また、建物１７に取り付けられている多数の縦長の矩形の外装ルーバー１６は、同図に示すように、その外縁部２１が床版１８の外縁部２２と略同一鉛直線上に位置するように配置されている。
【００４３】
外装ルーバー孔用取付具１４は、図４（ａ）、（ｂ）に示すように、外装ルーバー１６の上下の各端部１６ａ、１６ｂを上階床版１８の下面１８ａに設けられている上側下地材２０、及び下階床版１８の上面１８ｂに設けられている下側下地材１９に取り付けるためのものであって、外装ルーバー１６の上下の各端部１６ａ、１６ｂに形成されている開口部１６ｃ内に２つずつ嵌合しており、図５に示すように、第１基台部２３と第１係合部２４とを備えている。
【００４４】
第１基台部２３は、図５に示すように、矩形の板状体であり、図４（ａ）、（ｂ）に示すように、下側及び上側下地材１９、２０の上面及び下面にそれぞれ溶接等によって固着されている。
【００４５】
第１係合部２４は、図５に示すように、板状部材を略Ｕ字形状に屈曲形成したものであり、その屈曲する基端部２４ａが第１基台部２３の上面に溶接等によって固着されている。この第１係合部２４は、図４（ｂ）に示すように、基端部２４ａから延びている一対のばね部２４ｂ、２４ｂが外装ルーバー１６の開口部１６ｃ内に嵌合しており、この一対のばね部２４ｂ、２４ｂが開口部１６ｃの内面を押し拡げる方向に付勢されるばね構造となっている。この一対のばね部２４ｂ、２４ｂが当接して押し拡げている開口部１６ｃの内面は、外装ルーバー１６の互いに平行する矩形板状部１６ｄ、１６ｄの内面である。また、第１係合部２４は、開口部１６ｃ内に挿入し易くするために、一対のばね部２４ｂ、２４ｂの各先端部２４ｃ、２４ｃが先端に向かうに従って互いに接近する先細りの形状となっている。
【００４６】
外装ルーバー桟用取付具１５は、図４（ａ）に示すように、外装ルーバー１６の下端部１６ｂを、床版１８の上面１８ｂに設けられている下側下地材１９に取り付けていると共に、外装ルーバー１６の荷重を支持するためのものである。そして、この外装ルーバー桟用取付具１５は、外装ルーバー１６に形成されている桟部１６ｅの下端部に嵌合しており、図６に示すように、第２基台部２５と第２係合部２６とを備えている。なお、この外装ルーバー桟用取付具１５は、外装ルーバー１６の下端部１６ｂであって、２つの外装ルーバー孔用取付具１４の間の位置に取り付けられている。
【００４７】
第２基台部２５は、図６に示すように、所定の厚みＧの矩形の板状体であり、図４（ａ）に示すように、下側下地材１９の上面に対して摺動可能に当接している。なお、第２基台部２５の厚みＧは、図４（ａ）に示すように、外装ルーバー１６の下端部１６ｂと、床版１８の上面１８ｂとの間に大きさがＧの隙間２７を形成するためのものである。
【００４８】
この隙間２７は、図４（ａ）に示すように、外装ルーバー１６の下端部１６ｂに外装ルーバー孔用取付具１４、及び外装ルーバー桟用取付具１５を装着して、この外装ルーバー１６を建物１７の所定の取付け位置に配置した状態で、外装ルーバー１６の外側から外装ルーバー孔用取付具１４を下側下地材１９に溶接等の固着作業ができるようにするためのものである。
【００４９】
第２係合部２６は、図６に示すように、板状部材を略Ｕ字形状に屈曲形成したものであり、その屈曲する基端部２６ａが第２基台部２５の上面に溶接等によって固着されている。この第２係合部２６は、図４（ａ）に示すように、基端部２６ａから延びている一対のばね部２６ｂ、２６ｂが外装ルーバー１６の桟部１６ｅに嵌合しており、この一対のばね部２６ｂ、２６ｂが桟部１６ｅを挟み込む方向に付勢されるばね構造となっている。そして、基端部２６ａの上面が桟部１６ｅの下端面と当接している。また、第２係合部２６は、桟部１６ｅの下端部に対して嵌合して挟み込み易くするために、一対のばね部２６ｂ、２６ｂの各先端部２６ｃ、２６ｃが先端に向かうに従って外に拡がる形状となっている。
【００５０】
また、図４（ａ）、（ｂ）に示すように、外装ルーバー１６の下端部１６ｂと、下階床版１８の上面１８ｂとの間に大きさがＧの隙間２７が形成されているのと同様に、外装ルーバー１６の上端部１６ａと、上階床版１８の下面１８ａとの間に大きさがＧの隙間２７が形成されている。この隙間２７は、上述したように、外装ルーバー１６の外側から外装ルーバー孔用取付具１４を上側下地材２０に溶接等の固着作業ができるようにするためのものである。
【００５１】
更に、図４（ａ）、（ｂ）に示すように、外装ルーバー１６の上下の各端部１６ａ、１６ｂと、床版１８の下面１８ａ及び上面１８ｂとの間に形成された隙間２７、２７は、上下の各シール材２８、２９によって封止されている。この上側シール材２８は、２つの外装ルーバー孔用取付具１４及び上側下地材２０を包囲するように設けられている。そして、下側シール材２９は、２つの外装ルーバー孔用取付具１４、１つの外装ルーバー桟用取付具１５、及び下側下地材１９を包囲するように設けられている。
【００５２】
次に、図４（ａ）、（ｂ）を参照して外装ルーバー１６の取付け方法を説明する。まず、外装ルーバー１６の上下の各端部１６ａ、１６ｂのそれぞれの両端に形成されている２つの各開口部１６ｃに、外装ルーバー孔用取付具１４を１つずつ合計４つ嵌合させると共に、外装ルーバー１６の下端部１６ｂの略中央に形成されている桟部１６ｅを１つの外装ルーバー桟用取付具１５で挟み込み、更に外装ルーバー桟用取付具１５と桟部１６ｅの下端面とを互いに当接させる。これによって、外装ルーバー１６に合計４つの外装ルーバー孔用取付具１４、及び１つの外装ルーバー桟用取付具１５を装着することができる。
【００５３】
そして、図４（ａ）、（ｂ）に示すように、これら外装ルーバー孔用取付具１４、及び外装ルーバー桟用取付具１５が装着された外装ルーバー１６を、鉛直方向と略平行に配置して、建物１７の上階床版１８の下面１８ａと、下階床版１８の上面１８ｂとの間に配置する。このとき、外装ルーバー１６の上下の各端部１６ａ、１６ｂと、上下の各床版１８との間に隙間２７が形成されるように外装ルーバー１６の長さが規定されており、外装ルーバー１６が外装ルーバー桟用取付具１５によってこの位置に配置されるように支持されている。
【００５４】
次に、図４（ａ）、（ｂ）に示すように、外装ルーバー１６の上下の各端部１６ａ、１６ｂと床版１８との間に形成されている隙間２７、２７を使用して、それぞれの外装ルーバー孔用取付具１４を上下の各下地材２０、１９に溶接する。しかる後に、外装ルーバー１６の上下の各端部１６ａ、１６ｂと、床版１８との間に形成されている隙間２７、２７をシール材２８、２９によって封止する。このようにして、外装ルーバー１６を建物１７に取り付けることができる。同様にして、他の多数の外装ルーバー１６を建物１７の所定の各位置に取り付けることができる。
【００５５】
次に、図４（ａ）、（ｂ）等に示す外装ルーバー取付構造１３、外装ルーバー取付方法、外装ルーバー孔用取付具１４、及び外装ルーバー桟用取付具１５の作用を説明する。それぞれの外装ルーバー孔用取付具１４は、建物１７の床版１８に設けられている上下の各下地材２０、１９に溶接されて固定されている。そして、それぞれの第１係合部２４が外装ルーバー１６の開口部１６ｃ内に嵌合した状態で、ばね部２４ｂ、２４ｂが開口部１６ｃの内面を押し拡げる方向に付勢していることによって、第１係合部２４が開口部１６ｃ内に係合している。これによって、外装ルーバー孔用取付具１４は、外装ルーバー１６に対して、開口部１６ｃの奥行き方向に直交する水平方向の移動を規制してこの外装ルーバー１６を保持することができる。
【００５６】
そして、図４（ａ）、（ｂ）に示すように、外装ルーバー桟用取付具１５は、第２係合部２６のばね部２４ｂ、２４ｂが互いに隣り合う開口部１６ｃ、１６ｃを仕切る桟部１６ｅを挟み込み、その桟部１６ｅの下端面と当接していることによって、第２係合部２６が桟部１６ｅに係合している。これによって、外装ルーバー桟用取付具１５は、外装ルーバー１６に対して、桟部１６ｅ（開口部１６ｃ）の奥行き方向に直交する水平方向の移動を規制してこの外装ルーバー１６を保持すると共に、桟部１６ｅ（開口部１６ｃ）の下端部が当該取付具１５に向かう下方向の移動を阻止して保持することができる。
【００５７】
このように、外装ルーバー孔用取付具１４の第１係合部２４が外装ルーバー１６の開口部１６ｃ内に嵌合すると共に、外装ルーバー桟用取付具１５の第２係合部２６が外装ルーバー１６の桟部１６ｅを挟持することによって、外装ルーバー１６を建物１７に取り付ける構成としたので、外装ルーバー１６に取付孔を形成する必要がなく、従って、取付孔に防水処理を施すための作業自体をなくすことができる。これによって、外装ルーバー取付け作業の手間及びコストの低減を図ることができる。
【００５８】
そして、これら第１及び第２係合部２４、２６は、外装ルーバー１６の開口部１６ｃ内に収容されているので、外装ルーバー孔用取付具１４及び外装ルーバー桟用取付具１５が外装ルーバー１６の外側から見え難くすることができる。更に、外装ルーバー１６の上下の各端部１６ａ、１６ｂと、床版１８との間の隙間２７をシール材２８、２９によって封止する構成とすることによって、外装ルーバー孔用取付具１４及び外装ルーバー桟用取付具１５が外装ルーバー１６の外側から全く見えないようにすることができる。従って、これら取付具１４、１５によって外装ルーバー１６の見栄えが損なわれることを確実に防止できる。
【００５９】
また、シール材２８、２９によって、外装ルーバー孔用取付具１４及び外装ルーバー桟用取付具１５が、外装ルーバー１６の外側に露出しないように封止することができるので、これら外装ルーバー１６のそれぞれの取付具１４、１５に対して十分な防錆処理を施す必要がないし、防錆処理を不要にすることもできる。
【００６０】
また、図４（ａ）、（ｂ）に示すように、外装ルーバー桟用取付具１５が桟部１６ｅの下端面と当接する構成であるので、外装ルーバー１６の上下の各端部と、床版１８との間に隙間２７が形成されるように、外装ルーバー１６を建物１７に取り付けることができる。このようにすると、例えば地震時において建物１７に層間変位が発生しても、この層間変位を当該隙間２７によって許容することができる。従って、外装ルーバー１６及び外装ルーバー取付構造１３が層間変位によって損傷を受け難くすることができる。
【００６１】
更に、外装ルーバー桟用取付具１５を床版１８の下側下地材１９に対して摺動可能に当接させる構成とすることによって、建物１７に層間変位が生じたとき、外装ルーバー桟用取付具１５が外装ルーバー１６に伴って移動することができ、外装ルーバー１６の損傷を防止できる。
【００６２】
そして、第１及び第２係合部２４、２６を略Ｕ字形状の部材とすることによって、それぞれを簡単にばね構造とすることができ、この外装ルーバー取付構造１３の構成を簡単にすることができる。
【００６３】
また、外装ルーバー孔用取付具１４を、外装ルーバー１６の上下の各端部１６ａ、１６ｂに複数ずつ取り付けることによって、外装ルーバー１６の水平方向の移動を規制して安定してこの外装ルーバー１６を保持することができる。また、外装ルーバー桟用取付具１５を、外装ルーバー１６の下端部１６ｂであって、２つの外装ルーバー孔用取付具１４の間の位置に取り付けることによって、外装ルーバー１６の重量を安定して支持することができるし、水平方向の移動を規制してこの外装ルーバー１６を保持することができる。
【００６４】
次に、図７及び図８を参照して、本発明に係る外装ルーバー取付構造の第２実施形態を説明する。この図７に示す第２実施形態の外装ルーバー取付構造３０と、図３に示す第１実施形態の外装ルーバー取付構造１３とが相違するところは、図３に示す第１実施形態では、建物１７に取り付けられている多数の縦長の矩形の外装ルーバー１６は、その外縁部２１が床版１８の外縁部２２と同一鉛直線上に位置するように配置（スラブ間構造）しているのに対して、図７に示す第２実施形態では、建物１７に取り付けられている多数の縦長の略矩形の外装ルーバー１６は、その外縁部２１が床版１８の外縁部２２よりも外側に突出するように配置（持出構造）しているところである。これ以外は、第１実施形態の外装ルーバー取付構造１３と同等であり、同等部分を同一の図面符号で示し、それらの説明を省略する。
【００６５】
要するに、この実施形態の外装ルーバー１６は、図７及び図８に示すように、その外縁部２１が床版１８の外縁部２２よりも外側に突出しているので、建物１７を外側から観察すると、鉛直方向と平行して配置された多数のそれぞれの外装ルーバー１６の外縁部２１が、互いに間隔を隔てて配置された縦方向の多数の直線として現れ、そのような構造に基づく印象を看者に付与することができる。
【００６６】
なお、図７及び図８に示すように、上下の各外装ルーバー１６の外縁部２１が形成されている持出部３１、３１どうしの上下の各縁部の間、及び外装ルーバー１６の持出部３１の上部内縁部と、床版１８の外縁部２２との間には、それぞれ隙間２７、２７が形成され、これらの隙間２７、２７は、第１実施形態の隙間２７と同様に、例えば地震時において建物１７に層間変位が発生しても、この層間変位を当該隙間２７によって許容することができる。そして、この隙間２７には、第１実施形態と同様にして、シール材２９が設けられて封止されている。
【００６７】
次に、図９及び図１０を参照して、本発明に係る外装ルーバー取付構造の第３実施形態を説明する。この図９（ａ）、（ｂ）に示す第３実施形態の外装ルーバー取付構造３３と、図４（ａ）、（ｂ）に示す第１実施形態の外装ルーバー取付構造１３とが相違するところは、外装ルーバー孔用取付具３４、１４が相違しているところである。これ以外は、第１実施形態の外装ルーバー取付構造１３と同等であり、同等部分を同一の図面符号で示し、それらの説明を省略する。
【００６８】
つまり、第１実施形態の外装ルーバー孔用取付具１４は、図５に示すように、第１基台部２３は、矩形の板状体であり、その上面に第１係合部２４が直接に設けられているのに対して、第３実施形態の外装ルーバー孔用取付具３４は、図１０に示すように、第１基台部３５は、矩形の板状体３５ａと、略四角柱の柱状体３５ｂとを備え、この柱状体３５ｂの上端面に第１係合部２４が設けられている。この柱状体３５ｂは、第１係合部２４が設けられているその先端部３５ｃを、開口部１６ｃ内に配置することができる長さＤに形成されている。
【００６９】
このようにすると、第１係合部２４を、外装ルーバー開口部１６ｃの比較的奥側部の内面（外装ルーバー１６の互いに平行する板状部１６ｄの内面）に当接させて係合させることができる。この外装ルーバー開口部１６ｃの奥側部は、入口側部と比較して破壊強度が大きいので、外装ルーバー孔用取付具１４による外装ルーバー１６の取付け強度を向上させることができる。
【００７０】
ただし、上記各実施形態では、外装ルーバー桟用取付具１５の第２基台部２５は、図４（ａ）に示すように、下側下地材１９の上面に対して摺動可能に当接する構成としたが、第２基台部２５を下側下地材１９の上面に溶接等によって固着した構成としてもよい。このようにすると、外装ルーバー１６を位置決め固定して建物１７の床版１８に取り付けることができる。勿論、このようにした場合も、外装ルーバー桟用取付具１５の第２係合部２６は、外装ルーバー１６の桟部１６ｅに対して嵌合して係合する構成であるので、建物１７の層間変位を許容することができる。
【００７１】
そして、上記各実施形態では、図４（ａ）、（ｂ）等に示すように、外装ルーバー１６の上下の各端部１６ａ、１６ｂに外装ルーバー孔用取付具１４、３４を２つずつ装着したが、これに代えて、２つ以外の数の外装ルーバー孔用取付具１４、３４を装着してもよい。
【００７２】
また、外装ルーバー１６の下端部１６ｂに外装ルーバー桟用取付具１５を１つ装着したが、これに代えて、２つ以上の外装ルーバー桟用取付具１５を装着してもよい。
【００７３】
更に、上記各実施形態では、図４（ａ）、（ｂ）に示すように、第１係合部２４の一対のばね部２４ｂ、２４ｂが、外装ルーバー１６の互いに平行する矩形板状部１６ｄ、１６ｄの内面を押し拡げて嵌合する構成としたが、これに代えて、第１係合部２４の一対のばね部２４ｂ、２４ｂが、外装ルーバー１６の２つの桟部１６ｅ、１６ｅのそれぞれの内面を押し拡げて嵌合する構成としてもよい。
【００７４】
そして、上記各実施形態では、図１等に示すように、外装ルーバー１６を鉛直方向と略平行して建物１７に取り付けたが、これに代えて、外装ルーバー１６を略水平にして建物１７に取り付けてもよい。この場合は、外装ルーバー桟用取付具１５を取り付けることによって、外装ルーバー１６の位置決めをすることができる。なお、この外装ルーバー桟用取付具１５は、省略することができる。
【産業上の利用可能性】
【００７５】
以上のように、本発明に係る外装ルーバー取付構造及び外装ルーバー取付方法は、外装ルーバーのそれぞれの取付具が外装ルーバーの外側に露出しないようにして見栄えよく外装ルーバーを建物に取り付けることができ、そして、外装ルーバーにボルト挿通孔を形成する必要がなく、従って、ボルト挿通孔に防水処理を施す必要がないという優れた効果を有し、このような外装ルーバー取付構造及び外装ルーバー取付方法に適用するのに適している。
【図面の簡単な説明】
【００７６】
【図１】この発明の第１実施形態に係る外装ルーバー取付構造を示す斜視図である。
【図２】同第１実施形態に係る外装ルーバー取付構造を示す部分拡大断面図である。
【図３】同第１実施形態に係る外装ルーバー取付構造を示す部分拡大斜視図である。
【図４】同第１実施形態に係る外装ルーバー取付構造を示し、（ａ）は部分拡大断面図、（ｂ）Ａ−Ａ断面図である。
【図５】同第１実施形態に係る外装ルーバー孔用取付具を示す拡大斜視図である。
【図６】同第１実施形態に係る外装ルーバー桟用取付具を示す拡大斜視図である。
【図７】同発明の第２実施形態に係る外装ルーバー取付構造を示す部分拡大斜視図である。
【図８】同第２実施形態に係る外装ルーバー取付構造を示し、（ａ）は部分拡大断面図、（ｂ）Ｂ−Ｂ断面図である。
【図９】同発明の第３実施形態に係る外装ルーバー取付構造を示し、（ａ）は部分拡大断面図、（ｂ）Ｃ−Ｃ断面図である。
【図１０】同第３実施形態に係る外装ルーバー桟用取付具を示す斜視図である。
【図１１】従来の外装ルーバー取付構造を示す一部省略正面図である。
【図１２】同従来の外装ルーバー取付構造を示すＥ−Ｅ拡大断面図である。
【図１３】同従来の外装ルーバー取付構造を示すＦ−Ｆ拡大断面図である。
【符号の説明】
【００７７】
１３、３０、３３  外装ルーバー取付構造
１４、３４  外装ルーバー孔用取付具
１５  外装ルーバー桟用取付具
１６  外装ルーバー
１６ａ  上端部
１６ｂ  下端部
１６ｃ  開口部
１６ｄ  板状部
１６ｅ  桟部
１７  建物
１８  床版
１８ａ  下面
１８ｂ  上面
１９  下側下地材
２０  上側下地材
２１  外装ルーバーの外縁部
２２  床版の外縁部
２３  第１基台部
２４  第１係合部
２４ａ  基端部
２４ｂ  ばね部
２４ｃ  先端部
２５  第２基台部
２６  第２係合部
２６ａ  基端部
２６ｂ  ばね部
２６ｃ  先端部
２７  隙間
２８  上側シール材
２９  下側シール材
３１  持出部
３５  第１基台部
３５ａ  板状体
３５ｂ  柱状体
３５ｃ  先端部
３７  アンカー
【図１】
0004783346.tif 000002
【図２】
0004783346.tif 000003
【図３】
0004783346.tif 000004
【図４】
0004783346.tif 000005
【図５】
0004783346.tif 000006
【図６】
0004783346.tif 000007
【図７】
0004783346.tif 000008
【図８】
0004783346.tif 000009
【図９】
0004783346.tif 000010
【図１０】
0004783346.tif 000011
【図１１】
0004783346.tif 000012
【図１２】
0004783346.tif 000013
【図１３】
0004783346.tif 000014